(57)【要約】【課題】内輪の回転を外輪へ確実に伝達させ、意図しない内輪の空転を防ぐ。【解決手段】ローラクラッチ３２は、外輪３２ａと、内輪３２ｂと、ローラ３２ｃと、第１バネ部材３２ｅと、リテーナ３２ｄと、突出部３２７ｄとを備える。ローラ３２ｃは、内輪３２ｂと外輪３２ａとの間に配置され、伝達位置と、遮断位置との間で移動可能である。リテーナ３２ｄは、ローラ３２ｃを保持するローラ保持空間３２８ｄ、及び第１バネ部材３２ｅを支持する支持部３２２ｄを有する。突出部３２７ｄは、第１バネ部材３２ｅの付勢力に抗するローラ３２ｃの移動を所定の位置で規制する。【選択図】図４
2015065840.tif 000002
【特許請求の範囲】
【請求項１】
回転を一方向にのみ伝達可能な釣り用リールのローラクラッチであって、
傾斜面で構成されたカム面を含む内周面を有する外輪と、
外周面を有し、前記外輪の内周側に配置された内輪と、
前記内輪と前記外輪との間に配置され、前記外輪の前記カム面と前記内輪の外周面との間にくい込む位置である伝達位置と、前記くい込みが解除される遮断位置との間で移動可能なローラと、
前記ローラを前記伝達位置側に付勢する付勢部材と、
前記ローラを保持するローラ保持空間、及び前記付勢部材を支持する支持部を有するリテーナと、
前記付勢部材の付勢力に抗する前記ローラの移動を所定の位置で規制する規制部と、
を備える、釣り用リールのローラクラッチ。
【請求項２】
前記規制部は、前記支持部の少なくとも一部により構成される、
請求項１に記載の釣り用リールのローラクラッチ。
【請求項３】
前記支持部は、前記付勢部材の第１端部側を収容する収容部と、周方向において前記伝達位置側に突出する突出部とを有し、
前記規制部は、前記突出部により構成される、
請求項２に記載の釣り用リールのローラクラッチ。
【請求項４】
前記支持部は、前記収容部を画定する内周側及び外周側壁部を有し、
前記突出部は、前記外周側壁部の伝達位置側の端部に形成される、
請求項３に記載の釣り用リールのローラクラッチ。
【請求項５】
前記伝達位置と前記遮断位置とは、周方向において隣り合う、請求項１から４のいずれかに記載の釣り用リールのローラクラッチ。
【請求項６】
回転軸回りに回転可能なロータと、
前記回転軸回りに回転可能な制動部材と、
前記ロータの回転を前記制動部材に遮断及び伝達する請求項１から５のいずれかに記載の釣り用リールのローラクラッチと、
を備える、スピニングリール。
【請求項７】
前記内輪は、前記ロータに取り付けられる、
請求項６に記載のスピニングリール。
【請求項８】
前記ロータは、ボス部を有しており、
前記内輪は、前記ボス部が係合する貫通孔を有する、
請求項７に記載のスピニングリール。
【請求項９】
前記制動部材の回転を制動可能な制動操作部材をさらに備え、
前記外輪は、前記制動部材に取り付けられる、
請求項６から８のいずれかに記載のスピニングリール。
【請求項１０】
前記ロータが糸繰り出し方向に回転すると、前記ローラは前記伝達位置に位置する、請求項７から９のいずれかに記載のスピニングリール。
【発明の詳細な説明】
【技術分野】
【０００１】
本発明は、釣り用リールに用いられるローラクラッチ及びそれを用いたスピニングリールに関するものである。
【背景技術】
【０００２】
釣り用リールのローラクラッチは、外輪、内輪、及びローラを有しており、回転を一方向にのみ伝達可能である。例えば、ローラが伝達位置に移動すると、内輪の回転が外輪に伝達され、ローラが遮断位置に移動すると、内輪の回転は外輪に伝達されない。このように構成されたローラクラッチは、釣り用リールに用いることができ、例えば、特許文献１に示されるような、ロータと制動部材とを有するスピニングリールに用いることができる。
【０００３】
上述した構成のローラクラッチをスピニングリールに用いる場合、ローラクラッチの外輪は制動部材に取り付けられ、ローラクラッチの内輪はロータに取り付けられる。このローラクラッチを有するスピニングリールは、糸巻き方向にロータが回転すると、ローラが遮断位置に移動し、糸繰り出し方向にロータが回転すると、ローラが伝達位置に移動するように構成される。
【先行技術文献】
【特許文献】
【０００４】
【特許文献１】特開２０００−０１４２９１号公報
【発明の概要】
【発明が解決しようとする課題】
【０００５】
上述したように、糸繰り出し時には、ローラが伝達位置に移動するため、内輪の回転が外輪に伝達される。すなわち、ロータの回転が制動部材に伝達され、ロータとともに制動部材が回転する。ここで、ローラクラッチも同様に回転するため、その遠心力によってローラクラッチのローラが遮断位置に移動してしまい、内輪の回転が外輪へ十分に伝達されない状態（伝達トルク不足の状態）となり、さらに、高速で回転したとき、最悪の場合には、内輪が空転してしまうおそれがある。
【０００６】
本発明の課題は、内輪の回転を外輪へ確実に伝達させ、意図しない内輪の空転を防ぐことができる釣り用リールのローラクラッチを提供することにある。
【課題を解決するための手段】
【０００７】
本発明のある第１側面に係る釣り用リールのローラクラッチは、回転を一方向にのみ伝達可能な釣り用リールのローラクラッチであって、外輪と、内輪と、ローラと、付勢部材と、リテーナと、規制部とを備える。外輪は、傾斜面で構成されたカム面を含む内周面を有する。内輪は、外周面を有し、外輪の内周側に配置される。ローラは、内輪と外輪との間に配置され、伝達位置と、遮断位置との間で移動可能である。伝達位置は、外輪のカム面と内輪の外周面との間にローラがくい込む位置である。また、遮断位置は、ローラのくい込みが解除される位置である。付勢部材は、ローラを伝達位置側に付勢する。リテーナは、ローラを保持するローラ保持空間、及び付勢部材を支持する支持部を有する。規制部は、付勢部材の付勢力に抗するローラの移動を所定の位置で規制する。
【０００８】
この構成によれば、遠心力によって、ローラが付勢部材の付勢力に抗して遮断位置側へ移動した場合であっても、そのローラの移動は、規制部によって所定の位置で規制される。このため、遠心力によってローラが遮断位置側に移動した場合であっても、内輪の回転を外輪に確実に伝達することができ、ひいては意図しない内輪の空転を防ぐことができる。
【０００９】
好ましくは、規制部は、支持部の少なくとも一部により構成される。
【００１０】
好ましくは、支持部は、付勢部材の第１端部側を収容する収容部と、周方向において伝達位置側に突出する突出部とを有する。この突出部によって、規制部が構成される。この構成によれば、突出部が伝達位置側に突出しているため、このローラが遮断位置側へ移動した場合であっても、ローラが突出部と所定の位置で当接するため、その所定の位置を超えて移動できない。
【００１１】
好ましくは、支持部は、収容部を画定する内周側及び外周側壁部を有する。そして、外周側壁部の伝達位置側の端部に突出部が形成される。この構成によれば、外周側に突出部が形成されるため、ローラが遠心力によって移動することをより確実に規制することができる。
【００１２】
好ましくは、伝達位置と遮断位置とは、周方向において隣り合う。
【００１３】
本発明の第２側面に係るスピニングリールは、ロータと、制動部材と、上記いずれかの釣り用リールのローラクラッチと、を備える。ロータは、回転軸回りに回転可能である。制動部材は、回転軸回りに回転可能である。釣り用リールのローラクラッチは、ロータの回転を制動部材に遮断及び伝達する。
【００１４】
好ましくは、内輪は、ロータに取り付けられる。
【００１５】
好ましくは、ロータは、ボス部を有している。内輪は、ボス部が係合する貫通孔を有する。
【００１６】
好ましくは、スピニングリールは、制動部材の回転を制動可能な制動操作部材をさらに備える。外輪は、制動部材に取り付けられる。
【００１７】
好ましくは、ロータが糸繰り出し方向に回転すると、ローラは伝達位置に位置する。
【発明の効果】
【００１８】
本発明によれば、内輪の回転を外輪に確実に伝達することができ、意図しない内輪の空転を防ぐことができる。
【図面の簡単な説明】
【００１９】
【図１】スピニングリールの側面断面図。
【図２】図１のＡ−Ａ線断面図。
【図３】ロータ内の構造を示す拡大側面断面図。
【図４】ローラクラッチの正面断面図。
【発明を実施するための形態】
【００２０】
以下、本発明に係る釣り用リールに用いられるローラクラッチの実施形態について図面を参照しつつ説明する。図１は、本実施形態に係るスピニングリールの側面断面図である。
【００２１】
図１に示すように、本実施形態に係るスピニングリール１００は、レバーブレーキ型のスピニングリールである。このスピニングリール１００は、リール本体２、ロータ３、スプール４、制動部材１６、制動レバー（制動操作部材）１７、及びローラクラッチ３２を備えている。
【００２２】
図１及び図２に示すように、リール本体２は、収容部２ａと、脚部２ｂと、竿装着部２ｃとを有している。収容部２ａ、脚部２ｂ、竿装着部２ｃとは一体的に形成されている。収容部２ａは内部に空間を有し、収容部２ａの側部は開口している。この収容部２ａの開口は、蓋部材２ｄによって塞がれている。
【００２３】
図１に示すように、収容部２ａの前部には、筒状の取付部材２ｅが装着されている。リール本体２の後部は、ガード部材３５により覆われている。脚部２ｂの前面には、制動レバー１７を収納するための装着溝２ｇが形成されている。装着溝２ｇは、側方から見た断面が概ね三日月形状に形成されている。
【００２４】
図２に示すように、ハンドル組立体１は、後述するマスターギア軸１０に固定される。詳細には、ハンドル組立体１は、ネジ軸３７と、ハンドルアーム３８と、把手３９とを有している。
【００２５】
ネジ軸３７は、その先端部がマスターギア軸１０と螺合する。ハンドルアーム３８は、ネジ軸３７に対して折り畳み可能に取り付けられている。把手３９は、ハンドルアーム３８の先端部に対して、ネジ軸３７と平行な軸回りに回転可能に装着されている。ハンドル組立体１は、図２に示す右位置と、その逆側の左位置とのいずれにも取付可能である。ハンドル組立体１が取り付けられた位置と逆側の位置のリール本体２にはキャップ部材６９が装着されている。
【００２６】
図１に示すように、収容部２ａの内部には、ロータ駆動機構５と、オシレーティング機構２０とが設けられている。ロータ駆動機構５は、ハンドル組立体１の回転に連動してロータ３を回転させるための機構である。オシレーティング機構２０は、ハンドル組立体１の回転に連動してスプール４を前後に往復移動させるための機構である。
【００２７】
ロータ３は、回転軸Ｘ回りに回転可能であり、リール本体２に回転可能に支持されている。ロータ３は、円筒部３ａと、第１及び第２アーム部３ｂ、３ｃとを有している。第１アーム部３ｂと第２アーム部３ｃとは、円筒部３ａの側方に設けられている。第１アーム部３ｂは、第２アーム部３ｃの反対側に設けられている。また、第１アーム部３ｂの先端と第２アーム部３ｃの先端部とには、ベールアーム９が揺動可能に設けられている。このベールアーム９により釣り糸がスプール４に案内される。
【００２８】
図３は、ロータの一部の詳細を示す拡大断面図である。図３に示すように、ロータ３の円筒部３ａは、前壁３ｄを有している。前壁３ｄの中央部には、貫通孔３ｅを有するボス部３ｆが後方に延びるように形成されている。この貫通孔３ｅを、後述するスプール軸８及びピニオンギア１２が貫通している。ボス部３ｆの外周面には、一対の係合面が形成されている。この一対の係合面が、後述するローラクラッチ３２の内輪３２ｂの内周面に形成された一対の係合面３２１ｂと係合している。
【００２９】
図１に示すように、スプール４は、ロータ３の第１アーム部３ｂと第２アーム部３ｃとの間に配置されている。スプール４は、スプール軸８の先端部に装着されている。スプール４は、スプール本体２２と、ドラグ機構２３と、支持部材２４とを有している。
【００３０】
スプール本体２２は、糸巻胴部２２ａと、スカート部２２ｂと、フランジ部２２ｃとを有している。糸巻胴部２２ａは筒状に形成されている。スカート部２２ｂは、糸巻胴部２２ａよりも大径の筒状に形成されており、糸巻胴部２２ａから後方に延びている。フランジ部２２ｃは、糸巻胴部２２ａの前端から径方向に延びている。
【００３１】
ドラグ機構２３は、スプール本体２２内に配置されている。ドラグ機構２３は、ドラグつまみ６０を有するドラグ調整部５７と、ドラグ調整部５７により押圧される摩擦部５８と、を有している。ドラグ調整部５７は、スプール軸８の先端に螺合してドラグ力を調整する。摩擦部５８は、支持部材２４に回転可能に連結されるドラグ座金と、支持部材２４に回転不能に連結されるドラグ座金とを有している。
【００３２】
支持部材２４は、スプール軸８に回転不能に装着されており、スプール本体２２を回転可能に支持している。支持部材２４は、ワンタッチ着脱機構４８によって、スプール本体２２及びドラグ機構２３とともにスプール軸８からワンタッチで着脱可能である。
【００３３】
図１及び図２に示すように、ロータ駆動機構５は、マスターギア軸１０、マスターギア１１、及びピニオンギア１２を有している。マスターギア軸１０は、上述したようにハンドル組立体１が取り付けられており、ハンドル組立体１と一体的に回転する。マスターギア軸１０は筒状に形成されている。マスターギア軸１０は、収容部２ａに取り付けられた軸受１５ａと、蓋部材２ｄに取り付けられた軸受１５ｂとによって回転可能に支持されている。マスターギア１１は、マスターギア軸１０と一体的に形成されており、マスターギア軸１０ともに回転する。
【００３４】
ピニオンギア１２は、筒状に形成されており、後部（図１の右端部）においてマスターギア１１と噛み合う。ピニオンギア１２の前部（図１の左端部）はロータ３の貫通孔３ｅを貫通してスプール４側に延びている。このピニオンギア１２の前部に対して、ロータ３はナット１３により一体回転可能に固定されている。ピニオンギア１２は、軸受１４ａ、１４ｂ、１４ｃを介して収容部２ａに回転可能に支持されている。
【００３５】
図３に示すように、ナット１３は、緩み止め部材３６によって緩み止めされている。またナット１３は、軸受１３ａを介してスプール軸８に回転可能に支持されている。これにより、ピニオンギア１２の内周面とスプール軸８の外周面との間に隙間が形成される。緩み止め部材３６は、抜け止めバネ３６ａによって前壁３ｄに係止されている。また、緩み止め部材３６には、弾性体によって形成されたシール部材３６ｂが装着されている。このシール部材３６ｂは、液体がスプール軸８とピニオンギア１２との隙間からロータ３内部へ浸入することを防止している。
【００３６】
図１及び図２に示すように、オシレーティング機構２０は、中間ギア２０ａと、螺軸２０ｂと、スライダ２０ｃとを有している。中間ギア２０ａは、ピニオンギア１２に噛み合っている。螺軸２０ｂは、中間ギア２０ａと一体的に回転可能であり、スプール軸８と平行な軸回りに回転可能である。スライダ２０ｃは、螺軸２０ｂの回転によって前後移動する。このスライダ２０ｃにスプール軸８の後端部が取り付けられている。
【００３７】
図３に示すように、制動部材１６は、略円筒状の部材であって、ロータ３の円筒部３ａ内に収容されている。制動部材１６は、筒状部材４０と、制動円筒４１とを有している。
【００３８】
筒状部材４０は、外筒部４０ａと、内筒部４０ｂと、円板部４０ｃとを有している。外筒部４０ａは、ロータ３の円筒部３ａ内に収容されている。外筒部４０ａは、円筒状であって、ロータ３の円筒部３ａと同心に配置されている。内筒部４０ｂは、外筒部４０ａよりも径が小さい円筒状であって、外筒部４０ａと同心に配置されている。また、内筒部４０ｂは、取付部材２ｅに固定された軸受止め輪５４の外周面に対して、軸受１４ｄを介して回転可能に支持されている。円板部４０ｃは、外筒部４０ａと内筒部４０ｂとを連結している。
【００３９】
軸受止め輪５４は、取付部材２ｅの先端部の内周面に固定されている。軸受止め輪５４とピニオンギア１２との間に軸受１４ｃが配置されている。軸受１４ｃは、ピニオンギア１２を支持するとともに、軸受止め輪５４を抜け止めする機能も果たしている。
【００４０】
制動円筒４１は、筒状部材４０の内周面に固定されている。制動円筒４１は、外筒部４０ａの内周面から内筒部４０ｂを経て軸受１４ｄの後面に向かって延びている。したがって、軸受１４ｄの外輪は、筒状部材４０と制動円筒４１とにより挟まれている。
【００４１】
制動円筒４１は、中心孔４１ｂを有する金属製の有底筒状部材であり、円板部４０ｃにねじ止め固定されている。制動円筒４１は、外筒部４０ａに沿った部分の内周面が制動面４１ａとなっている。この制動円筒４１の制動面４１ａに、制動レバー１７の制動シュー１７ｂが当接することによって、制動部材１６が制動される。
【００４２】
図４は、ローラクラッチ３２を示す正面断面図である。図３及び図４に示すように、ローラクラッチ３２は、外輪３２ａ、内輪３２ｂ、複数のローラ３２ｃ、リテーナ３２ｄ、及び複数の第１バネ部材（付勢部材の一例）３２ｅを有している。
【００４３】
外輪３２ａは、制動部材１６に取り付けられる。詳細には、外輪３２ａは、制動操作部材１６の筒状部材４０に取り付けられる。外輪３２ａは、略円筒状であって、外周面に複数の凸部３２１ａを有している。各凸部３２１ａは、回転軸Ｘに沿って延びており、周方向に間隔をあけて形成されている。各凸部３２１ａは、制動部材１６に形成された各凹部と係合している。この結果、外輪３２ａは制動部材１６に取り付けられ、外輪３２ａは制動部材１６と一体的に回転する。
【００４４】
外輪３２ａは、その内周面に、複数のカム面３２２ａを有している。各カム面３２２ａは、傾斜面によって形成されており、周方向に沿って内径が変化する。具体的には、各カム面３２２ａは、図４の時計周りの方向に向かって回転軸Ｘから離れるように傾斜している。
【００４５】
内輪３２ｂは、外輪３２ａの内周側に配置され、ロータ３に取り付けられる。詳細には、内輪３２ｂは、ロータ３のボス部３ｆに取り付けられる。内輪３２ｂの内周面には、一対の係合面３２１ｂが形成されている。内輪３２ｂの各係合面３２１ｂとボス部３ｆの係合面とが係合することによって、内輪３２ｂはロータ３と一体的に回転する。
【００４６】
各ローラ３２ｃは、円柱状であって、回転軸Ｘに沿って延びている。各ローラ３２ｃは、外輪３２ａと内輪３２ｂとの間に配置されており、伝達位置と遮断位置との間で移動可能である。なお、各ローラ３２ｃは、各第１バネ部材３２ｅによって、伝達位置側に付勢されている。
【００４７】
各ローラ３２ｃが伝達位置（図４の実線で記載された位置）に移動すると、外輪３２ａのカム面３２２ａと内輪３２ｂの外周面との間にくい込む。この結果、内輪３２ｂの回転が外輪３２ａに伝達される。一方、各ローラ３２ｃが遮断位置（図４の二点鎖線で記載された位置）に移動すると、外輪３２ａと内輪３２ｂとの間で各ローラ３２ｃは自転可能となる。この結果、内輪３２ｂの回転は外輪３２ａに伝達されない。内輪３２ｂが図４において反時計周りに回転すると、各ローラ３２ｃは伝達位置に移動する。一方、内輪３２ｂが図４において時計回りに回転すると、各ローラ３２ｃは各第１バネ部材３２ｅの付勢力に抗して遮断位置に移動する。
【００４８】
リテーナ３２ｄは、本体部３２１ｄと、複数の支持部３２２ｄとを有する。また、リテーナ３２ｄは、隣り合う各支持部３２２ｄの間においてローラ保持空間３２８ｄを有する。各ローラ保持空間３２８ｄにおいて、各ローラ３２ｃは周方向に移動可能に保持されている。本体部３２１ｄは、中央に開口を有する円板状であって、外周部において制動部材１６に固定されている。
【００４９】
各支持部３２２ｄは、各第１バネ部材３２ｅを支持するように構成されており、本体部３２１ｄに周方向に間隔をおいて形成されている。各支持部３２２ｄは、外周側壁部３２３ｄと、内周側壁部３２４ｄと、底壁部３２５ｄとから構成されており、これら各壁部３２３ｄ〜３２５ｄによって、収容部３２６ｄが画定されている。各収容部３２６ｄには、各第１バネ部材３２ｅが収容されている。なお、各第１バネ部材３２ｅは、収容部３２６ｄから先端部が突出しており、この先端部が各ローラ３２ｃを押圧する。
【００５０】
各外周側壁部３２３ｄは、突出部３２７ｄを有している。なお、外周側壁部３２３ｄと突出部３２７ｄとは一体的に形成されている。各外周側壁部３２３ｄは、各内周側壁部３２４ｄと、周方向の長さが実質的に同じである。各突出部３２７ｄは、周方向において各伝達位置側に突出する。すなわち、図４において、突出部３２７ｄは、反時計回りの方向に突出する。この突出部３２７ｄの周方向の長さは、特に限定されるものではないが、例えば、０．８ｍｍ以上１．２ｍｍ以下程度とすることができる。また、各突出部３２７ｄは、径方向において、各ローラ３２ｃの中心よりも外周側に位置する。これにより、各ローラ３２ｃが遠心力などによって外周側に移動することを効果的に防ぐことができる。なお、上記突出部３２７ｄが本発明の規制部に相当する。また、径方向とは回転軸Ｘを中心とした円の径方向を示し、周方向とは回転軸Ｘを中心とした円の周方向を示す。
【００５１】
図１に示すように、制動レバー１７は、略Ｃ字状に形成されており、上側端部に操作部１７ａを有し、下側端部に制動シュー１７ｂを有する。この制動レバー１７は、リール本体２の脚部２ｂに装着された支持軸３３によって、支持軸３３を中心に回転可能に支持されている。制動レバー１７は、第２バネ部材１９によって前方側に付勢されている。すなわち、制動レバー１７は、図１において、支持軸３３を中心に反時計周りの方向に付勢されている。このため、制動レバー１７を操作していない状態では、制動シュー１７ｂは制動部材１６の制動面４１ａと接触していない。また、制動レバー１７を操作して図１の時計周りに回転させることにより、制動シュー１７ｂが制動部材１６の制動面４１ａを押圧し、制動部材１６の回転を停止させる。
【００５２】
上述したように構成されたスピニングリール１００は、次のように動作する。まず、キャスティング時にはベールアーム９を糸開放姿勢側に倒し、キャスティングすることにより、スプール４の外周から釣り糸が繰り出される。糸巻取時には、ハンドル組立体１を糸巻き取り方向に回転させると、ベールアーム９が図示しない戻し機構により糸巻き取り姿勢に戻る。ハンドル組立体１の回転力は、マスターギア軸１０、マスターギア１１を介してピニオンギア１２に伝達される。ピニオンギア１２に伝達された回転力は、ピニオンギア１２の前部１２ａを介してロータ３に伝達される。このときロータ３は糸巻き取り方向に回転するので、ローラクラッチ３２の内輪３２ｂの回転は外輪３２ａには伝達されない。すなわち、ロータ３の回転は制動部材１６には伝達されない。
【００５３】
釣り糸が魚により引かれてロータ３が糸繰り出し方向に逆転すると、ローラクラッチ３２の内輪３２ｂの回転は外輪３２ａに伝達されるため、ロータ３の回転がローラクラッチ３２を介して制動部材１６に伝達される。ここで、制動レバー１７を操作することによって、制動部材１６を制動することができ、ひいてはロータ３の回転速度を調整できる。
【００５４】
［特徴］
本実施形態に係るローラクラッチ３２は、次の特徴を有する。
【００５５】
遠心力によって、各ローラ３２ｃが各第１バネ部材３２ｅの付勢力に抗して遮断位置側へ移動した場合であっても、その各ローラ３２ｃの移動は、各突出部３２７ｄによって所定の位置で規制される。すなわち、各ローラ３２ｃは、図４の二点鎖線で示した位置よりも時計周り方向に移動することが規制される。このため、遠心力によって遮断位置側に移動した各ローラ３２ｃは伝達位置に戻りやすくなり、ひいては意図しない内輪３２ｂの空転を防ぐことができる。
【００５６】
［変形例］
【００５７】
以上、本発明の実施形態について説明したが、本発明はこれらに限定されるものではなく、本発明の趣旨を逸脱しない限りにおいて種々の変更が可能である。例えば、上記実施形態では、突出部３２７ｄは外周側壁部３２３ｄの先端に形成されているが、特にこれに限定されない。例えば、突出部３２７ｄは、内周側壁部３２４ｄの先端に形成されていてもよい。
【符号の説明】
【００５８】
３２    ローラクラッチ
３２ａ    外輪
３２２ａ    カム面
３２ｂ    内輪
３２ｃ    ローラ
３２ｄ    リテーナ
３２２ｄ    支持部
３２３ｄ    外周側壁部
３２４ｄ    内周側壁部
３２７ｄ    突出部（規制部）
３２ｅ    第１バネ部材
【図１】
2015065840.tif 000003
【図２】
2015065840.tif 000004
【図３】
2015065840.tif 000005
【図４】
2015065840.tif 000006